(57)【特許請求の範囲】
【請求項１】
所定形状に形成された部材本体と、
この部材本体上に形成された模様層とを備えており、
模様層には、外面に透光性を有する着色被膜が形成された複数の粒子が所望の密度で且つ均一に配置されていることを特徴とする釣り用具。
【発明の詳細な説明】
【０００１】
【発明の属する技術分野】
本発明は、例えば、釣竿、リール、ルアー、釣り道具箱、クーラーボックス、友舟、その他の小物用品を含んだ釣り用具に関し、この釣り用具には、均一の所望の色に着色された光輝性外観を呈示させることが可能な模様層が設けられている。
【０００２】
【従来の技術】
従来、例えば特開平７−２２７１７９号公報に開示されている釣り用具には、樹脂層に光輝性を有する複数の粒子を高密度に密集させて構成した模様層が設けられており、この模様層によって、例えば金属表面を鏡面状に研磨した際に得られるような光輝性外観を呈示させている。
【０００３】
【発明が解決しようとする課題】
しかしながら、従来技術に適用した模様層において、複数の粒子は、夫々、金属単体であるため、釣り用具の外観に呈示させることができる色彩は、金属色のみであり、使用目的に応じて種々の色彩を呈示させることができなかった。この場合、模様層を構成する樹脂層に着色を施すことも考えられるが、樹脂層の層厚によって色彩にバラツキが生じてしまうため、均一の所望の色に着色された光輝性外観を呈示させることができない。
【０００４】
本発明は、このような問題を解決するために成されており、その目的は、均一の所望の色に着色された光輝性外観を呈示させることが可能な釣り用具を提供することにある。
【０００５】
【課題を解決するための手段】
このような目的を達成するために、本発明の釣り用具は、所定形状に形成された部材本体と、この部材本体上に形成された模様層とを備えており、
模様層には、外面に透光性を有する着色被膜が形成された複数の粒子が所望の密度で且つ均一に配置されている。
【０００６】
【発明の実施の形態】
以下、本発明の釣り用具について、添付図面を参照して説明する。
【０００７】
本発明の釣り用具としては、例えば、釣竿、リール、ルアー、釣り道具箱、クーラーボックス、友舟、その他の小物用品を含んだ釣り用品全般が該当する。
【０００８】
図１〜図３には、本発明の釣り用具の一実施の形態として、例えば釣竿等の管状部材２が示されており、この管状部材２は、管状の部材本体４と、この部材本体４上に形成された模様層６とを備えており、模様層６には、外面に透光性を有する着色被膜（即ち、着色層）８が形成された複数の粒子１０（図３参照）が、所望の密度で且つ均一に配置されている。本実施の形態において、模様層６は、部材本体４上に形成された下地層１２の外面に形成されており、この模様層６の外面には、保護層１４が形成されている。なお、上記着色被膜（即ち、着色層）８は、着色層と保護層とに分かれていても良い。
【０００９】
部材本体４は、例えば、合成樹脂、繊維強化プラスチック、金属、セラミックス等の材料で形成することが可能である。なお、この部材本体４の外面に模様層６を直接形成する場合には、模様層６を均一に形成することができるように、部材本体４の外面を鏡面状に加工することが好ましい。この場合、部材本体４の外面を鏡面状に加工する方法としては、例えば、バレル研磨、バフ仕上げ等を適用することが可能である。
【００１０】
下地層１２の材料としては、部材本体４及び模様層６に対する密着性を考慮した材料を選択する必要があり、この場合、例えば、エポキシ、アクリル、ウレタン等の樹脂塗料を適用することが可能である。また、このような下地層１２は、例えば塗装やメッキ等の方法で形成することが可能であり、その場合、下地層１２の層厚Ｔ１は、５〜３０μｍに設定することが好ましい。下地層１２の層厚Ｔ１が５μｍ未満になると、部材本体４外面の凹凸形状に追従して下地層１２の外面が平滑にならないと共に、下地層１２の層厚Ｔ１が３０μｍを越えると、釣り用具全体（管状部材２全体）の重量が増加してしまうからである。なお、下地層１２の外面は、模様層６を均一に形成することができるように、鏡面状に加工することが好ましい。この場合、下地層１２の外面を鏡面状に加工する方法としては、例えば、バレル研磨、バフ仕上げ等を適用することが可能である。
【００１１】
このような下地層１２の外面には、後述する模様層６を介して、保護層１４が形成されている。なお、上述したように下地層１２を形成しない場合には、保護層１４は、部材本体４上に直接形成された模様層６の外面に形成されることになる。
【００１２】
保護層１４の材料としては、模様層６に対する密着性を考慮した材料を選択する必要があり、この場合、例えば、フッ素、アクリル、ウレタン等の透明又は半透明の樹脂を適用することが可能である。また、このような保護層１４は、例えば塗装やメッキ等の方法で形成することが可能であり、その場合、保護層１４の層厚Ｔ２は、５〜２０μｍに設定することが好ましい。
【００１３】
模様層６は、所定の樹脂１６（例えば、アクリル系樹脂、エポキシ系樹脂、ビニール系樹脂）に光輝性を有する複数の粒子１０（以下、光輝性粒子と言う）を所望の密度で且つ均一に混入して形成されている。具体的には、樹脂１６に混入された複数の光輝性粒子１０が下地層１２の外面全体（又は、部材本体４の外面全体）に亘って所望の密度で且つ均一に配置されるように、模様層６は、下地層１２（又は、部材本体４）の外面に形成されている。この場合、模様層６の層厚Ｔ３は、５μｍ以下、好ましくは、１〜３μｍに設定することが好ましい。
【００１４】
本実施の形態において、複数の光輝性粒子１０は、夫々、非透光性の粒子本体１８と、この粒子本体１８の表面全体に形成された透光性を有する着色層８とから構成されている。
【００１５】
非透光性の粒子本体１８の材料としては、例えば、Ａｌ、Ｃｕ、Ａｇ、Ｍｇ、ｌｎ、Ｃｒ、Ｓｉ、Ｎｉ、Ｔｉ、Ａｕ、Ｒｈ、Ｐｔ等の各種の色彩を有する金属材料を用いることが可能である。この場合、粒子本体１８の大きさは、２μｍ以下、好ましくは、０．３〜１μｍに設定することが好ましく、且つ、粒子本体１８の厚さは、１μｍ以下、好ましくは、０．０３〜０．５μｍに設定することが好ましい。これ以上に粒子本体１８の大きさ及び厚さを設定すると、光輝性粒子１０を所望の密度で且つ均一に配置できなくなると共に、光輝性粒子１０の境界が目立つようになったり、光の反射方向が一定しなくなり、均一な光輝性外観を発揮できなくなってしまうからである。なお、粒子本体１８の表面全体に各種の色の染料又は顔料を選択的に被覆することによって、粒子本体１８に所望の着色を施しても良い。
【００１６】
非透光性の粒子本体１８の外面全体に形成する透光性の着色層８の材料としては、例えば、シアン、マゼンタ、イエロー等の各種の色彩を発する材料を用いることが可能である。また、粒子本体１８の外面全体に透光性の着色層８を形成する方法としては、例えば、ディッピング法、ＰＶＤやＣＶＤ等のドライメッキ法、ゾルゲル法、陽極酸化法等の方法を用いることが可能である。この場合、着色層８の層厚は、１μｍ以下、好ましくは、０．３μｍ以下に設定することが好ましい。これ以上に着色層８の層厚を厚くすると、光輝性粒子１０を所望の密度で且つ均一に配置できなくなると共に、着色層８の透光性が弱められて光輝性外観を呈示させることができなくなってしまうからである。
【００１７】
このような光輝性粒子１０の形成方法は、まず、例えばテフロンやシリコーン樹脂等から成るフィルム状の支持基板上に、上記金属材料を蒸着又はスパッタリングして金属層を形成した後、この金属層を支持基板から剥離して粉砕することによって複数の粒子本体１８を形成する。続いて、これら複数の粒子本体１８の表面全体に透光性の着色層８を形成する。この場合、光輝性粒子１０を構成する粒子本体１８及び着色層８の色彩を適宜選択的に設定することによって、各種所望の色彩に対応した種々の光輝性外観を呈示させることができる。
【００１８】
また、樹脂１６に混入された複数の光輝性粒子１０が下地層１２の外面全体（又は、部材本体４の外面全体）に亘って所定の密度で且つ均一に配置されるように、模様層６を下地層１２（又は、部材本体４）の外面に形成する方法としては、例えば、スパッタリング法、真空蒸着法、イオンプレーティング法等のＰＶＤ（物理的気相成長）法や、或いは、Ｐ−ＣＶＤ（プラズマＣＶＤ）法、ＭＯＣＶＤ（有機金属ＣＶＤ）法等のＣＶＤ（化学的気相成長）法、又は、湿式メッキ法等を用いることが可能である。
【００１９】
この場合、複数の光輝性粒子１０は、その光輝性を充分に発揮可能であると共に、所望の色彩を生じる程度の密度で且つ均一に配置することが好ましい。具体的には、光輝性粒子１０の密度は、単位面積当たりの光輝性粒子の個数が、５万〜２０００万個／ｍｍ２  となるように、設定することが好ましい。
【００２０】
上述したような構成を有する釣り用具（管状部材２）によれば、模様層６において複数の光輝性粒子１０を所望の密度で且つ均一に配置させることが可能となり、その結果、均一の所望の色に着色された光輝性外観を呈示させることが可能となる。
【００２１】
【発明の効果】
本発明によれば、均一の所望の色に着色された光輝性外観を呈示させることが可能な釣り用具を提供することができる。
【図面の簡単な説明】
【図１】本発明の一実施の形態に係る釣り用具の斜視図。
【図２】図１のＡ−Ａ線に沿う断面図。
【図３】（ａ）は、模様層の構成を具体的に示す断面図、（ｂ）は、同図（ａ）のｂ−ｂ線に沿う断面図。
【符号の説明】
４  部材本体
６  模様層
１０  光輝性粒子
【図１】
0003587718.tif 000002
【図２】
0003587718.tif 000003
【図３】
0003587718.tif 000004